(57)【特許請求の範囲】
【請求項１】
サービス領域を示す複数のセルと、前記複数のセルの各々に対する個別サービスデータ及び前記複数のセルのうち、少なくとも二つのセルに対する共通サービスデータを含む複数のサービスデータを貯蔵しているサービスセンターとを備える符号分割多重接続(ＣＤＭＡ)移動通信システムで、前記サービスセンターから前記個別サービスデータ又は前記共通サービスデータを前記セルへ伝えるためのパケットデータ伝送装置において、
前記セルの数と同じ数を備え、前記サービスセンターからの前記個別サービスデータを受信して前記セルのうち、該当個別サービスを要請したセル別に伝える個別処理装置と、
前記サービスセンターからの前記共通サービスデータを受信し、前記セルのうち、少なくとも二つのセルへ前記共通サービスデータを伝える共通処理装置とを含むことを特徴とする前記装置。
【請求項２】
前記サービスセンターからのサービスデータをサービス領域とサービス種類に応じて前記個別サービスデータ又は前記共通サービスデータに分離した後、前記分離した個別サービスデータを前記個別処理装置へ提供し、前記分離した共通サービスデータを前記共通処理装置へ提供するサービスアクセスポインタをさらに含むことを特徴とする請求項１に記載の前記装置。
【請求項３】
前記共通サービスデータはストリーミング形態のサービスのためのパケットデータであることを特徴とする請求項１に記載の前記装置。
【請求項４】
前記共通処理装置は、
前記共通サービスデータを前記少なくとも二つのセルに対応する無線リンク制御部へ伝えるための全般的な制御を行う制御部と、
前記制御部の制御により前記共通サービスデータをサービス種類に応じて貯蔵するデータ貯蔵部と、
前記制御部の制御により前記データ貯蔵部から伝えられる前記共通サービスデータを前記サービス種類に応じて前記共通サービスデータを伝える前記少なくとも二つのセル間のフレームタイミングを考慮してスケジューリングするスケジューラと、
前記スケジューリングされた前記共通サービスデータを臨時に貯蔵し、前記制御部の制御により前記臨時貯蔵された前記共通サービスデータを前記無線リンク制御部の各々へ伝える伝送バッファとを含むことを特徴とする請求項１に記載の前記装置。
【請求項５】
前記制御部は前記サービスセンターから提供される伝送速度、放送/マルチキャストタイミング及び優先順位を考慮して前記共通サービスのための無線チャンネルの設定又は変更を無線資源制御部に要請することを特徴とする請求項４に記載の前記装置。
【請求項６】
前記無線資源制御部は前記制御部からの前記無線チャンネルの設定又は変更要請により前記無線チャンネルの設定又は変更が可能であるかを判断し、前記判断結果を前記制御部へ伝えることを特徴とする請求項５に記載の前記装置。
【請求項７】
前記共通サービスのために前記サービスセンターから提供される伝送速度、放送/マルチキャストタイミング及び優先順位を考慮して前記共通サービスのための無線チャンネルの設定又は変更を決定し、前記無線チャンネルの設定又は変更が可能であるかを判断した後、前記判断結果を前記サービスセンターへ伝える無線資源制御部をさらに含むことを特徴とする請求項４に記載の前記装置。
【請求項８】
サービス領域内に存在するセルの各々に対してパケットデータサービスを提供する基地局と、前記セルの各々に対応する無線リンク制御部と、前記無線リンク制御部からのサービスデータを対応するセルへ伝えるメディア接近制御部とを含む符号分割多重接続(ＣＤＭＡ)移動通信システムで、サービスセンターからの前記サービスデータを前記無線リンク制御部へ伝えるデータパケット処理装置において、
前記サービスセンターからの前記サービスデータを入力し、前記サービスデータをサービス領域とサービス種類に応じて共通サービスデータと個別サービスデータに分離して出力するサービスアクセスポインタと、
前記無線リンク制御部に対して共通に連結され、前記サービスアクセスポインタからの前記共通サービスデータを前記セルのうち、前記共通サービスを要請した少なくとも二つのセルに対応する無線リンク制御部へ伝える共通処理部と、
前記無線リンク制御部の各々に対応して多数個で構成され、前記サービスアクセスポインタからの前記個別サービスデータを前記セルのうち、前記個別サービスを要請した一つのセルに対応する無線リンク制御部へ伝える個別処理部とを含むことを特徴とする前記装置。
【請求項９】
前記共通サービスデータはストリーミング形態のサービスのためのパケットデータであることを特徴とする請求項８に記載の前記装置。
【請求項１０】
前記共通処理装置は、
前記共通サービスデータを前記少なくとも二つのセルに対応する無線リンク制御部へ伝えるための全般的な制御を行う制御部と、
前記制御部の制御により前記共通サービスデータをサービス種類に応じて貯蔵するデータ貯蔵部と、
前記制御部の制御により前記データ貯蔵部から伝えられる前記共通サービスデータを前記サービス種類に応じて前記共通サービスデータを伝える前記少なくとも二つのセル間のフレームタイミングを考慮してスケジューリングするスケジューラと、
前記スケジューリングされた前記共通サービスデータを臨時に貯蔵し、前記制御部の制御により前記臨時貯蔵された前記共通サービスデータを前記無線リンク制御部の各々へ伝える伝送バッファとを含むことを特徴とする請求項８に記載の前記装置。
【請求項１１】
前記制御部は前記サービスセンターから提供される伝送速度、放送/マルチキャストタイミング及び優先順位を考慮して前記共通サービスのための無線チャンネルの設定又は変更を無線資源制御部に要請することを特徴とする請求項１０に記載の前記装置。
【請求項１２】
前記無線資源制御部は前記制御部からの前記無線チャンネルの設定又は変更要請により前記無線チャンネルの設定又は変更が可能であるかを判断し、前記判断結果を前記制御部へ伝えることを特徴とする請求項１１に記載の前記装置。
【請求項１３】
前記共通サービスのために前記サービスセンターから提供される伝送速度、放送/マルチキャストタイミング及び優先順位を考慮して前記共通サービスのための無線チャンネルの設定又は変更を決定し、前記無線チャンネルの設定又は変更が可能であるかを判断した後、前記判断結果を前記サービスセンターへ伝える無線資源制御部をさらに含むことを特徴とする請求項１０に記載の前記装置。
【請求項１４】
サービス領域を示す複数のセルと、前記複数のセルの各々に対する個別サービスデータ及び前記複数のセルのうち、少なくとも二つのセルに対する共通サービスデータを含む複数のサービスデータを貯蔵しているサービスセンターとを備える符号分割多重接続(ＣＤＭＡ)移動通信システムで、前記サービスセンターから前記個別サービスデータ又は前記共通サービスデータを前記セルへ伝えるためのパケットデータ伝送方法において、
前記セルの数と同じ数を備え、前記サービスセンターからの前記個別サービスデータを受信して前記セルのうち、該当個別サービスを要請したセル別に伝える個別処理過程と、
前記サービスセンターからの前記共通サービスデータを受信し、前記セルのうち、少なくとも二つのセルへ前記共通サービスデータを伝える共通処理過程とを含むことを特徴とする前記方法。
【請求項１５】
前記サービスセンターからのサービスデータをサービス領域とサービス種類に応じて前記個別サービスデータ又は前記共通サービスデータに分離する過程をさらに含むことを特徴とする請求項１４に記載の前記方法。
【請求項１６】
前記共通サービスデータはストリーミング形態のサービスのためのパケットデータであることを特徴とする請求項１４に記載の前記方法。
【請求項１７】
前記共通処理過程は、
前記共通サービスデータをサービス種類に応じて貯蔵する過程と、
前記貯蔵した前記共通サービスデータを前記サービス種類に応じて前記共通サービスデータを伝える前記少なくとも二つのセル間のフレームタイミングを考慮してスケジューリングする過程と、
前記スケジューリングされた前記共通サービスデータを臨時に貯蔵し、前記臨時貯蔵された前記共通サービスデータを前記少なくとも二つのセルの各々に対応する無線リンク制御部へ伝える過程とを含むことを特徴とする請求項１４に記載の前記方法。
【請求項１８】
前記共通処理過程は、
前記サービスセンターから提供される伝送速度、放送/マルチキャストタイミング及び優先順位を考慮して前記共通サービスのための無線チャンネルの設定又は変更を無線資源制御部に要請する過程と、
前記無線チャンネルの設定又は変更要請により前記無線資源制御部が前記無線チャンネルの設定又は変更が可能であるかを判断し、前記判断結果を報告する過程とをさらに含むことを特徴とする請求項１７に記載の前記方法。
【請求項１９】
前記無線資源制御部が前記共通サービスのために前記サービスセンターから提供される伝送速度、放送/マルチキャストタイミング及び優先順位を考慮して前記共通サービスのための無線チャンネルの設定又は変更を決定し、前記無線チャンネルの設定又は変更が可能であるかを判断した後、前記判断結果を前記サービスセンターへ伝える過程をさらに含むことを特徴とする請求項１７に記載の前記方法。
【請求項２０】
サービス領域内に存在するセルの各々に対してパケットデータサービスを提供する基地局と、前記セルの各々に対応する無線リンク制御部と、前記無線リンク制御部からのサービスデータを対応するセルへ伝えるメディア接近制御部とを含む符号分割多重接続(ＣＤＭＡ)移動通信システムで、サービスセンターからの前記サービスデータを前記無線リンク制御部へ伝えるデータパケット処理方法において、
前記サービスセンターからの前記サービスデータを入力し、前記サービスデータをサービス領域とサービス種類に応じて共通サービスデータと個別サービスデータに分離して出力する過程と、
前記無線リンク制御部に対して共通に連結され、前記サービスアクセスポインタからの前記共通サービスデータを前記セルのうち、前記共通サービスを要請した少なくとも二つのセルに対応する無線リンク制御部へ伝える共通処理過程と、前記無線リンク制御部の各々に対応して多数個で構成され、前記サービスアクセスポインタからの前記個別サービスデータを前記セルのうち、前記個別サービスを要請した一つのセルに対応する無線リンク制御部へ伝える個別処理過程とを含むことを特徴とする前記方法。
【請求項２１】
前記共通サービスデータはストリーミング形態のサービスのためのパケットデータであることを特徴とする請求項２０に記載の前記方法。
【請求項２２】
前記共通処理過程は、
前記共通サービスデータをサービス種類に応じて貯蔵する過程と、
前記貯蔵した前記共通サービスデータを前記サービス種類に応じて前記共通サービスデータを伝える前記少なくとも二つのセル間のフレームタイミングを考慮してスケジューリングする過程と、
前記スケジューリングされた前記共通サービスデータを臨時に貯蔵し、前記臨時貯蔵された前記共通サービスデータを前記少なくとも二つのセルの各々に対応する無線リンク制御部へ伝える過程とを含むことを特徴とする請求項２０に記載の前記方法。
【請求項２３】
前記共通処理過程は、
前記サービスセンターから提供される伝送速度、放送/マルチキャストタイミング及び優先順位を考慮して前記共通サービスのための無線チャンネルの設定又は変更を無線資源制御部に要請する過程と、
前記無線チャンネルの設定又は変更要請により前記無線資源制御部が前記無線チャンネルの設定又は変更が可能であるかを判断し、前記判断結果を報告する過程とをさらに含むことを特徴とする請求項２２に記載の前記方法。
【請求項２４】
前記無線資源制御部が前記共通サービスのために前記サービスセンターから提供される伝送速度、放送/マルチキャストタイミング及び優先順位を考慮して前記共通サービスのための無線チャンネルの設定又は変更を決定し、前記無線チャンネルの設定又は変更が可能であるかを判断した後、前記判断結果を前記サービスセンターへ伝える過程をさらに含むことを特徴とする請求項２２に記載の前記方法。
【発明の詳細な説明】
【０００１】
【発明の属する技術分野】
本発明は符号分割多重接続(ＣＤＭＡ：Code Division Multiple Access)移動通信システムでデータパケット伝送装置及び方法に係り、特に、マルチキャストマルチメディア放送サービスを提供するための装置及び方法に関する。
【０００２】
【従来の技術】
通信産業の発達によって符号分割多重接続移動通信システムは音声サービスのみならず、パケットデータ、サーキットデータなどのような大容量のデータを伝送するマルチキャストマルチメディアサービスを提供している。前記マルチキャストマルチメディア通信を支援するために、一つのデータソースから多数の使用者端末機(ＵＥ：User Equipment)へサービスを提供する放送/マルチキャストサービスが提案された。前記放送/マルチキャストサービスはメッセージを主とするサービスであるセル放送サービス(ＣＢＳ:Cell Broadcast Service)と、実時間映像・音声、静止映像及び文字などのマルチメディアデータを支援するマルチキャストマルチメディア放送サービス(ＭＢＭＳ:Multimedia Broadcast/Multicast Service)とに分けられる。
【０００３】
前記ＣＢＳは特定のサービス地域に位置するすべてのＵＥに多数のメッセージを放送するサービスである。この際、前記ＣＢＳを提供する前記特定のサービス地域は小さくは一つのセル又は大きくは移動通信サービスが提供される全体領域となり得る。さらに、各々のメッセージに応じて放送されるサービス地域が設定されうる。
【０００４】
図１は通常的なＣＢＳを提供するためのＣＤＭＡ移動通信システムの概略的な構成を示した図である。図１を参照すれば、ＣＢＥ(Cell Broadcast Entity)１０１は地域別気象情報などの固有メッセージサービスを提供する装置であって、すべてのＣＢＳメッセージのソースとなる。前記ＣＢＥ１０１は移動通信網で提供されるサービスの種類に応じて多数個が存在することができる。前記ＣＢＥ１０１から提供されたＣＢＥメッセージは所定のインターフェース１０２を通じてセル放送センター(Cell Broadcast Center：ＣＢＣ)１０３へ伝えられる。前記ＣＢＥ１０１から前記ＣＢＣ１０３へのインターフェース１０２は移動通信網事業者又はＣＢＳ提供者に応じて変わる。前記インターフェース１０２は特定の規格に限定されない。前記ＣＢＣ１０３は前記ＣＢＥ１０１から提供されるＣＢＥメッセージを所定のシステムに基づいて管理し、前記ＣＢＥメッセージに対応するＣＢＳメッセージを無線網制御器(Radio Network Controller：ＲＮＣ)１０５へ伝える。
【０００５】
より詳しくは、前記ＣＢＣ１０３は前記ＣＢＳメッセージが伝えられるセルを選択し、前記ＣＢＥメッセージによりＣＢＳメッセージを構成して前記ＲＮＣ１０５へ伝送する。前記ＲＮＣ１０５は、例えば、ＣＢＳメッセージの放送時点及び反復伝送回数などを決定する。すなわち、前記ＣＢＣ１０３は前記ＣＢＳのための全般的な制御を行う。前記ＣＢＣ１０３で構成された前記ＣＢＳメッセージは所定のインターフェースIuBC１０４を通じて前記ＲＮＣ１０５へ伝えられる。前記ＲＮＣ１０５へ伝えられた前記ＣＢＳメッセージは前記ＲＮＣ１０５内に貯蔵される。前記ＲＮＣ１０５はチャンネル設定機能を通じて基地局(以下、Node Bと称する)１０７とのＩubインターフェース１０６及びＵＥ１０９と前記Node B１０７とのＵuインターフェース１０８を設定する。
【０００６】
このインターフェースを設定するために、前記ＲＮＣ１０５は前記ＣＢＳメッセージのサイズ及び各セルの無線チャンネル状況を考慮する。前記設定情報は無線ベアラー(radio bearer)を通じて前記ＵＥ１０９へ伝えられる。前記ＲＮＣ１０５は前記ＣＢＳメッセージを貯蔵する機能、このための無線ベアラーを設定する機能、前記ＣＢＳメッセージをスケジューリングする機能及び伝送の成功・失敗などの状況を前記ＣＢＣ１０３に報告する機能などを行う。前記ＵＥ１０９は前記ＣＢＳメッセージを受信し、エラーの発生したＣＢＳメッセージを処理し、受信メッセージを上位階層へ伝える機能を行う。
【０００７】
図２は上述したＣＢＳの実行時に前記ＣＢＣ１０３と前記ＲＮＣ１０５とのIuBCインターフェース１０４の基本的な過程中の一つである“Write-Replace”過程による信号処理を示した図である。
【０００８】
図２を参照すれば、IuBCインターフェース１０４の基本過程は次の五つの過程、すなわち、ＣＢＳメッセージを伝えるための“Write-Replace”過程、前記ＣＢＳメッセージの取消しのための“Kill”過程、前記ＣＢＳメッセージの負荷量を問う“Load Status Enquire”過程、前記ＣＢＳメッセージの現在状態を調べる“Message Status Query”過程、一つ以上のサービス領域で放送を終了する“Reset”過程を含む。前記“Write-Replace”過程はステップ２０３で新たなＣＢＳメッセージを前記ＣＢＣ１０３が前記ＲＮＣ１０５へ伝えるか、伝送されたＣＢＳメッセージを変更するときに使用する過程である。前記ＣＢＣ１０３は前記過程で放送内容をWRITE-REPLACEメッセージに載せて前記ＲＮＣ１０５へ伝える。前記ＲＮＣ１０５は前記受信したWRITE-REPLACEメッセージ内容を貯蔵し、前記所定の過程を行う。前記ＲＮＣ１０５は前記所定の過程実行結果に応じてステップ２０４で応答メッセージを前記ＣＢＣ１０３へ伝送することにより、前記“Write-Replace”過程が終了する。前記応答メッセージは成功を示す“WRITE-REPLACE COMPLETE”又は失敗を示す“WRITE-REPLACE FAILURE”からなる。
【０００９】
一方、前記WRITE-REPLACEメッセージはメッセージ種類、メッセージＩＤ、新たなシリアル番号、以前シリアル番号、サービス領域リスト、カテゴリ、放送回数、反復周期、データコーディング方式及び放送内容などの情報からなる。前記メッセージ種類は各過程によるメッセージ種類を示し、前記メッセージＩＤはメッセージの確認のための情報である。前記メッセージのシリアル番号はＣＢＳメッセージ内容の順番を示し、この情報を通じて全体メッセージ内容は多数の実際メッセージに分けられて伝送される。前記新たなシリアル番号は新たなＣＢＳメッセージ内容を示す情報であり、前記以前シリアル番号はＣＢＳメッセージの内容を変更する場合に使用される。前記サービス領域リストはＣＢＳメッセージが放送される領域を示す情報であり、前記カテゴリはＣＢＳメッセージ内容の優先順位を示す。前記放送回数及び反復周期はＣＢＳメッセージ内容の放送反復回数及び周期を示す情報である。前記データコーディング方式はＣＢＳメッセージ内容の言語別コーディング方式を示し、実際ＣＢＳメッセージの内容は前記放送内容に含まれる。
【００１０】
上述した基本過程を用いて前記ＣＢＣ１０３は前記ＲＮＣ１０５へＣＢＳメッセージを伝え、前記ＵＥ１０９への放送を制御することができる。
【００１１】
図３は図１に示したＲＮＣ１０５及びNode B １０７を含む無線接続網(ＵＴＲＡＮ：UMTS(Universal Mobile Telecommunications System) Terrestrial Radio Access Network)の通信プロトコル構造を示した図である。図３を参照すれば、前記ＣＢＣ１０３からのユーザー平面(U-plane)上のＣＢＳ情報３０１はIuBCインターフェース１０４を通じてＢＭＣ-ＳＡＰ(Broadcast/Multicast Control-Service Access Point)３０２へ伝えられる。前記ＢＭＣ-ＳＡＰ３０２は前記ＣＢＳ情報３０１をサービス領域に応じて該当セルに対応するＢＭＣ(Broadcast/Multicast Control)階層３０３へ伝える。前記ＢＭＣ階層３０３はセルの各々に対応して一つずつ存在し、対応するセルへＣＢＳメッセージを放送する。前記ＣＢＣ１０３から伝えられたＣＢＳ情報は該当セルのＢＭＣ階層３０３に貯蔵される。前記ＢＭＣ階層３０３は該当セルで放送されるＣＢＳメッセージの長さ、放送反復回数及び反復周期などを考慮してＣ-ＳＡＰ(Control-Service Access Point)３０５を通じて無線資源制御(Radio Resource Control：ＲＲＣ)階層３０４に無線チャンネルの設定又は変更を要求する。前記ＲＲＣ階層３０４はＲＮＣの無線資源を制御する。前記ＲＲＣ階層３０４は前記ＢＭＣ３０３からの無線チャンネルの設定又は変更要求に対応して該当無線チャンネルの設定/変更が可能であるかを判断する。無線資源の不足などにより前記ＣＢＳメッセージの放送のための無線チャンネルの設定/変更が不可能な場合、前記ＲＲＣ階層３０４は前記ＢＭＣ階層３０３にチャンネル設定/変更の失敗を知らせる。前記ＢＭＣ階層３０３は前記ＲＲＣ階層３０４からのチャンネル設定/変更の失敗を受信すると、前記ＣＢＣ１０３にその通知を報告する。前記ＣＢＣ１０３は前記報告により前記ＣＢＳメッセージの長さを調節する。
【００１２】
しかし、チャンネル設定/変更が可能な場合、前記ＲＲＣ階層３０４はＣ-ＳＡＰ３０６を通じて無線リンク制御階層(Radio Link Control：ＲＬＣ)階層３０７、ＭＡＣ-c/sh(Medium Access Control-common/shared Layer)階層３０９及び該当セルの物理階層であるCell_PHY(Cell_PHYsical)３１２を設定する。さらに、前記ＣＢＳメッセージは前記ＢＭＣ階層３０３内に貯蔵され、前記放送反復回数及び周期などを考慮してスケジューリングされた後、ＵＭ(Unacknowledged Mode)で前記ＲＬＣ階層３０７へ伝えられる。前記ＲＬＣ階層３０７はＴＭ(Transparent Mode)、ＵＭ及びＡＭ(Acknowledged Mode)の三種のモードで動作する。前記ＴＭは前記ＲＬＣ階層３０７が上位階層からのデータブロックをヘッダー無しに透明に下位階層へ伝送する方式である。前記ＵＭは上位階層からのデータブロックを一定のサイズのセグメントに分割してシーケンス番号のようなヘッダー情報を添加して伝送する方式である。前記ＡＭは上位階層からのデータブロックをセグメント化してヘッダー情報を添加し、エラーのない伝送を保障するために再伝送を許容する方式である。前記ＣＢＳメッセージの放送は多数の使用者に同じ情報を伝送するので、再伝送を許容せず、前記ＲＬＣ階層３０７は前記ＵＭを使用する。
【００１３】
前記ＲＬＣ階層３０７を通じて一定のサイズのデータブロック(RLC Protocol Data Unit)で処理された前記ＣＢＳメッセージは論理チャンネルである共通トラフィックチャンネル(Common Traffic Channel：ＣＴＣＨ)３０８を通じて前記ＭＡＣ-c/sh階層３０９へ伝えられる。前記ＭＡＣ-c/sh階層３０９は伝えられた前記ＣＴＣＨメッセージを該当セルの物理階層Cell_PHY３１２へ伝える。ＭＡＣ階層は共通チャンネルのための前記ＭＡＣ-c/sh階層３０９とＵＥ別の専用チャンネルのためのＭＡＣ-ｄ階層(Medium Access Control-dedicated layer)３１０とを含む。しかし、前記ＣＢＳの場合、共通伝送チャンネルである順方向接近チャンネル(Forward Access Channel：ＦＡＣＨ)３１１を使用して放送される。したがって、前記ＭＡＣ-c/sh階層３０９が前記ＣＢＳによる前記ＣＴＣＨメッセージを該当セルの物理階層Cell_PHY３１２へ伝える。前記ＲＲＣ階層３０４、ＢＭＣ階層３０３、ＲＬＣ階層３０７及びＭＡＣ階層は前記ＲＮＣ１０５内に位置する。
【００１４】
さらに、各セルに対応する物理階層Cell_PHY３１２は前記Node B １０７に位置し、他の階層とは物理的に隔離されている。したがって、データを安全に伝えるためのインターフェースが要求されるにつれて、前記ＭＡＣ-c/sh階層３０９は物理階層Cell_PHY(312)へのデータ伝送のためにIubインターフェース１０６を利用する。前記各セルに対応する物理階層Cell_PHY３１２は前記ＭＡＣ-c/sh階層３０９で分配された前記ＣＢＳメッセージをチャンネルコーディング、レートマッチング、インターリービング及び変調などを通じて前記ＦＡＣＨを物理チャンネルである第２共通物理制御チャンネル(Secondary-Common Control PHYsical Channel:Ｓ-ＣＣＰＣＨ)３１３にマッピングして無線チャンネルへ送信する。以上の物理階層のマッピングは概念的にＣＢＳメッセージが無線チャンネルのＵuインターフェース３１４を用いて伝送されることを示す。
【００１５】
図４は図３に示したＢＭＣ階層３０３の詳細構成及び機能を示した図である。図４を参照すれば、ＣＢＣ(Cell Broadcast Center)１０３から受信されたＣＢＳメッセージはＢＭＣ-ＳＡＰ３０２からサービス領域に含まれたすべてのセルに対応するＢＭＣ階層３０３へ分配されて伝えられる。前記該当セルのＢＭＣ階層３０３は前記ＣＢＳメッセージをＢＭＣ制御部４０４へ伝える。前記ＢＭＣ制御部４０４は前記受信されたＣＢＳメッセージをメッセージ貯蔵部４０７に貯蔵する。さらに、前記ＣＢＣ１０３から受信された放送反復回数及び周期などを考慮してチャンネルの設定又は変更を判断し、ＣＢＭＣ-ＳＡＰ３０５を通じてチャンネル設定又は変更をＲＲＣ階層３０４に要請する。前記ＲＲＣ階層３０４の動作は図３で説明した通りである。
【００１６】
前記メッセージ貯蔵部４０７に貯蔵された前記ＣＢＳメッセージは前記ＢＭＣ制御部４０４の制御によりスケジューラ４０８へ伝えられる。前記スケジューラ４０８は前記メッセージ貯蔵部４０７から伝えられる前記ＣＢＳメッセージをスケジューリングして伝送バッファ４０９へ伝える。前記伝送バッファ４０９に伝えられた前記ＣＢＳメッセージはＵＭ４１０を通じてＲＬＣ階層３０７へ伝えられる。前記ＲＬＣ階層３０７は前記ＢＭＣ階層３０３と同じセルに対応する。
【００１７】
図５は図３に示した構成に対応して通常的なＣＢＳを提供するためのＵＥの通信プロトコル構造を示した図である。図５を参照すれば、Node-B １０７から無線チャンネルを通じて伝送されたＣＢＳメッセージは無線チャンネルのＵｕインターフェース３１４のＳ-ＣＣＰＣＨ５０２を通じて前記ＵＥ１０９の物理階層ＵＥ_ＰＨＹ５０３で受信される。前記ＵＥ_ＰＨＹ５０３は前記ＣＢＳメッセージに対して復調、デインターリービング及びチャンネルデコーディングなどを実行して伝送チャンネルであるＦＡＣＨ５０４上のデータに復元する。前記復元データはＭＡＣ-c/sh階層５０５へ伝える。前記ＵＥ側でも専用チャンネルを処理するＭＡＣ-ｄ階層５０６が存在する。しかし、前記ＣＢＳメッセージは前記ＭＡＣ-ｄ階層５０６へ伝えられない。前記ＭＡＣ-c/sh階層５０５は該当論理チャンネルＣＴＣＨ５０７を処理するＲＬＣ階層５０８へ前記ＣＢＳメッセージに該当するデータを伝える。前記ＲＬＣ階層５０８はＲＮＣ１０５のＲＬＣ階層により一定のサイズのセグメントに分割されたＣＢＳメッセージをもとのメッセージに接合してＢＭＣ階層５０９へ伝える。前記ＢＭＣ階層５０９は前記ＲＬＣ階層５０８からのＣＢＳメッセージが新たなメッセージであるか、既に受信したＣＢＳメッセージの反復であるかを確認する。前記ＣＢＳメッセージが新たなメッセージであれば、ＢＭＣ-ＳＡＰ５１０を通じて上位階層へ伝える（参照符号５１１）。前記ＵＥ側でもＲＲＣ階層５１２がＣ-ＳＡＰ５１３を通じて前記ＢＭＣ階層５０９を制御し、前記ＲＬＣ階層５０８、前記ＭＡＣ-c/sh階層５０５及び前記ＵＥ_ＰＨＹ５０３を対応するＣ-ＳＡＰ５１４を通じて制御する。
【００１８】
上述したＣＢＳはＣＢＳメッセージ形態の情報を使用者に提供するための技術であるが、動映像、静止映像、音声及び文字の各種マルチメディア形態の情報は使用者に提供しない。したがって、前記マルチメディア形態の情報を多数の使用者に提供するためにはＭＢＭＳが要求される。前記ＭＢＭＳの動作は基本的に上述したＣＢＳの動作と類似している。しかし、マルチメディア形態の情報を提供するためには高速のデータを前記ＣＢＳとは独立的にサービスする。
【００１９】
図６は通常的なＭＢＭＳを提供するための符号分割多重接続(ＣＤＭＡ)移動通信システムの概略的な構成を示した図である。前記ＭＢＭＳは各種マルチメディアコンテンツを提供すべきである。したがって、相異なる多数のコンテンツ提供者を受容すべきである。
【００２０】
図６を参照すれば、コンテンツ提供者６０１の各々はマルチメディアコンテンツによるデータを放送/マルチキャストサービスセンター(Broadcast/Multicast- Service Center：ＢＭ-ＳＣ)６０２へ伝える。前記コンテンツ提供者６０１と前記ＢＭ-ＳＣ６０２とは所定のインターフェース６０３で連結される。前記所定のインターフェース６０３は移動網事業者又はＭＢＭＳ提供者によって変わるが、特定の規格に限定されない。
【００２１】
前記ＢＭ-ＳＣ６０２は多数のコンテンツ提供者６０１から提供されるマルチメディアコンテンツをチャンネル別にスケジューリングしてＧＧＳＮ(Gateway GPRS Support Node)６０５へ伝える。さらに、前記ＢＭ-ＣＳ６０２は前記コンテンツ提供者６０１とのインターフェースを提供するのみならず、前記コンテンツ提供者６０１に対する課金及び認証による機能を行う。
【００２２】
前記マルチメディアコンテンツによるデータは前記ＢＭ-ＳＣ６０２へ伝えられず、前記ＧＧＳＮ６０５に直接連結されたソース提供要素である放送/マルチキャストソース部(Broadcast/Multicast Source：ＢＭＳ)６０４からも提供されうる。前記ＢＭＳ６０４を許容する場合、前記ＧＧＳＮ６０５と前記ＢＭ-ＳＣ６０２又は前記ＢＭＳ６０４とのインターフェースはインターネットプロトコル(Internet Protocol：ＩＰ)６０６を使用することができる。一方、前記ＢＭＳ６０４を許容しない場合、前記ＭＢＭＳのためのすべてのソースは前記ＢＭ-ＳＣ６０２で管理する。さらに、前記ＢＭ-ＳＣ６０２は前記ＭＢＭＳのコンテンツによるデータを前記ＧＧＳＮ６０５を通じてＳＧＳＮ(Serving GPRS Support Node)６０７まで直接伝えるために前記ＧＧＳＮ６０５と前記ＳＧＳＮ６０７との間のＧＴＰ(Generic Tunneling Protocol)６０８を使用する。前記ＧＧＳＮ６０５は前記ＭＢＭＳコンテンツのデータをコピーして多数のＳＧＳＮ６０７へ伝える。
【００２３】
前記ＳＧＳＮ６０７は前記ＭＢＭＳコンテンツによるデータをＩＰ６１０を用いて各サービス別に該当ＲＮＣ６０９へ伝える。前記ＩＰ６１０は一つのＳＧＳＮ６０７から多数のＲＮＣ６０９へ同じコンテンツを伝送できるマルチキャスト機能のみならず、サービスに応じて一つのＲＮＣ６０９へ伝えるユニキャスト機能も支援することができる。前記ＲＮＣ６０９は各サービスの該当セルが含まれているNode B ６１１へインターフェース６１２を通じてＭＢＭＳによるデータを伝える。前記各Node B ６１１は無線インターフェースであるＵuインターフェース６１４を用いて対応するＵＥ６１３へ前記ＭＢＭＳによるデータを伝える。
【００２４】
図７は通常的なＭＢＭＳの放送サービスのために移動通信網で行われる信号処理過程を示した図である。図７を参照すれば、ＭＢＭＳの放送サービスは少なくとも一つのサービス提供者６０１のサービス伝送要求から始まる。したがって、前記ＢＭ-ＳＣ６０２はステップ７０１でサービス提供者６０１からのサービス伝送要求を受信する。前記サービス伝送要求を受信した前記ＢＭ-ＳＣ６０２はステップ７０２で前記サービス提供者６０１の課金及び認証過程を実行した後、前記サービス提供者６０１からＭＢＭＳコンテンツを受信する。一方、ステップ７０３では前記ＭＢＭＳによるデータをＲＮＣ６０９へ伝えるために核心網(Core Network：ＣＮ)内の放送無線接続ベアラーを構成する。前記放送無線接続ベアラーの構成には前記ＢＭ-ＳＣ６０２とＧＧＳＮ６０５とのＩＰマルチキャスト連結、前記ＧＧＳＮ６０５とＳＧＳＮ６０７とのＧＴＰ連結、前記ＳＧＳＮ６０７と前記ＲＮＣ６０９とのＩＰマルチキャスト連結の設定過程が含まれる。前記各構成間の連結プロトコールは図６に示したプロトコル構造に基づく。さらに、ステップ７０４では前記ＲＮＣ６０９内の放送無線ベアラーを構成する。前記放送無線ベアラーはＭＢＭＳをＵＥ６１３へ伝えるために前記ＲＮＣ６０９及びNode B ６１１に連結される。前記無線ベアラーの構成においては、前記Node B ６１１からＵＥ６１３への共通無線チャンネルの設定が同時に行われる。上述した過程により、ＣＮ内のＢＭ-ＳＣ６０２、ＧＧＳＮ６０５及びＳＧＳＮ６０７の間の無線アクセスベアラー及びＲＮＣ６０９内の無線ベアラーの設定が終了された後、ステップ７０５に進行する。ステップ７０５では、前記ＢＭ-ＳＣ６０２でスケジューリングされた前記ＭＢＭＳが全体サービス領域を対象にして放送され始まる。
【００２５】
図８は通常的なＭＢＭＳの放送サービスのためにＵＥで行われる信号処理過程を示した図である。図８を参照すれば、ステップ８０１でＵＥ６１３によるＭＢＭＳの放送サービスが選択されると、ステップ８０２で前記ＵＥ６１３は前記ＭＢＭＳの放送サービスを受信するために該当放送チャンネルに対するパラメータを得る。前記放送チャンネルに対するパラメータは前記ＵＥ６１３がセルを認識する過程で予め受信して貯蔵したものを使用することができる。さらに、使用者がＭＢＭＳの放送サービスを選択するとき、Node-B ６１１から受信したパラメータを使用することもできる。ステップ８０３では、前記放送チャンネルを前記過程から得られるパラメータを用いて設定する。前記放送チャンネルが設定されると、ステップ８０４で前記設定放送チャンネルを通じて前記ＭＢＭＳの放送サービスによるデータを受信して使用者に提供する。
【００２６】
図９は通常的なＭＢＭＳのマルチキャストサービスのために移動通信網で行う信号処理過程を示した図である。図９を参照すれば、ステップ９０１でサービス提供者６０１がＭＢＭＳのマルチキャストサービス提供をＢＭ-ＳＣ６０２に要請すると、前記サービス要請により前記マルチキャストサービスが始まる。前記ＢＭ-ＳＣ６０２が前記サービス提供者６０１からのサービス提供要請を受けると、ステップ９０２で前記サービスを要請したサービス提供者６０１に対する課金及び認証過程を実行した後、マルチキャストサービスをＵＥ６１３へ提供する。ステップ９０３では、前記ＭＢＭＳのマルチキャストサービスに対応して前記ＵＥ６１３からのサービス要請があるかを判断する。前記ＭＢＭＳのマルチキャストサービスは上述した放送サービスとは異なり、前記ＵＥ６１３からのサービス要請により提供される。
【００２７】
ステップ９０３では、前記ＵＥ６１３からのサービス要求がなければ、現在の状態を維持し、前記ＵＥ６１３からのサービス要求があれば、ステップ９０４に進行して前記ＵＥ６１３の認証可否を確認する。すなわち、前記ＵＥ６１３が前記マルチキャストサービスの提供が許可された使用者であるかを確認する。このようなＵＥ６１３の各々に対する認証は前記ＳＧＳＮ６０７で行う。ステップ９０４で該当ＵＥ６１３の認証が完了されると、前記ＳＧＳＮ６０７はステップ９０５で前記ＵＥ６１３が要求したＭＢＭＳのマルチキャストサービスのための連結が構成されているかを確認する。
【００２８】
前記マルチキャストサービスのための連結が存在しなければ、ステップ９０６に進行して前記連結のためのＣＮ内のマルチキャスト無線接続ベアラーを構成する。前記マルチキャスト無線接続ベアラーの構成にはＢＭ-ＳＣ６０２と前記ＧＧＳＮ６０５とのＩＰ連結、前記ＳＧＳＮ６０７と前記ＧＧＳＮ６０５とのＧＴＰ連結及び前記ＳＧＳＮ６０７とＲＮＣ６０９とのＩＰマルチキャスト連結が含まれる。一方、ステップ９０７では前記ＲＮＣ６０９から前記ＭＢＭＳのマルチキャストサービスのための前記ＵＥ６１３までのＩubインターフェース及びＵｕインターフェースを設定する無線ベアラーを構成する。
【００２９】
ステップ９０６及びステップ９０７を通じて連結が設定されるか、ステップ９０５で連結が構成されていると判断されれば、ステップ９０８で要求されるマルチキャストサービスのための設定を実行した後、前記ＳＧＳＮ６０７はＵＥのサービス要求を確認する。さらに、前記ＳＧＳＮ６０７は前記ＭＢＭＳのマルチキャストサービスによるデータを受信するためのチャンネルに対する情報を伝える。ステップ９０９では、前記ＢＭ-ＳＣ６０２から許可された所定のＵＥ６１３に前記ＭＢＭＳのマルチキャストサービスを提供する。
【００３０】
図１０は通常的なＭＢＭＳのマルチキャストサービスのためにＵＥで行われる信号処理過程を示した図である。図１０を参照すれば、ステップ１００１でＵＥ６１３からＭＢＭＳのマルチキャストサービスが選択されると、ステップ１００２に進行して前記ＵＥ６１３は前記ＭＢＭＳのマルチキャストサービスを移動通信網に要請する。前記ＵＥ６１３はステップ１００３で前記要請に対応して前記移動通信網からの確認情報を受信する。この際、前記ＵＥ６１３は前記マルチキャストサービスによるデータを受信するための情報を前記移動通信網から受ける。前記ＵＥ６１３はステップ１００４で前記情報を用いて前記ＭＢＭＳのマルチキャストサービスを受けるための放送チャンネルなどを設定する。前記ＵＥ６１３はステップ１００５で前記設定放送チャンネルを通じて前記ＭＢＭＳのマルチキャストサービスによるデータを受信して使用者に提供する。
【００３１】
図１１は図６に示したＲＮＣ６０９及びNode B ６１１を含むＵＴＲＡＮの通信プロトコル構造を示した図である。図１１を参照すれば、ＢＭ-ＳＣ６０２からのユーザー平面上のＭＢＭＳ情報１１０１はＩＰマルチキャストを使用するＩuインターフェース６１０を通じて前記ＲＮＣ６０９のＭＢＭＣ-ＳＡＰ(Multimedia Broadcast Multicast Control-Service Access Point)１１０２へ伝えられる。前記ＭＢＭＳ情報１１０１は前記ＢＭ-ＳＣ６０２から提供される。ＭＢＭＣ-ＳＡＰ１１０２は各ＭＢＭＳ情報のサービス領域に応じて該当セルに対応するマルチメディア放送マルチキャスト制御(Multimedia Broadcast Multicast Control：ＭＢＭＣ)階層１１０３へ前記ＭＢＭＳ情報１１０１を伝える。前記ＭＢＭＣ階層１１０３はセルの各々に対応して一つずつ存在し、そのセルのＭＢＭＳ放送及びマルチキャストを管理する。前記ＢＭ-ＳＣ６０２から伝えられたＭＢＭＳ情報１１０１は該当セルのＭＢＭＣ階層１１０３に貯蔵される。前記ＭＢＭＣ階層１１０３はＣＭＢＭＣ-ＳＡＰ(Control MBMC-Service Access Point)１１０５を通じて前記ＲＮＣ６０９の無線資源を制御するＲＲＣ階層１１０４に無線チャンネルの設定又は変更を要求する。前記ＭＢＭＣ階層１１０３は前記無線チャンネルの設定又は変更を要求するために該当セルで放送/マルチキャストされるＭＢＭＳの伝送速度、放送/マルチキャストタイミング、該当サービスの優先順位、サービス内容の反復回数及び反復周期などを考慮すべきである。前記ＲＲＣ階層１１０４は前記ＭＢＭＣ階層１１０３からの要請により無線チャンネルの設定/変更が可能であるかを判断する。前記無線チャンネルの設定/変更が可能な場合、前記ＲＲＣ階層１１０４はＣ-ＳＡＰ(Control-Service Access Point)１１０６を通じてＲＬＣ階層１１０７、ＭＡＣ-c/sh階層１１０９及び該当セルの物理階層Cell_PHY１１１２を設定する。しかし、前記ＲＲＣ階層１１０４は無線資源の不足などにより前記ＭＢＭＳのための無線チャンネルの設定/変更が不可能であると判断すれば、前記ＭＢＭＣ階層１１０３に無線チャンネル設定/変更の失敗を通告する。前記ＭＢＭＣ階層１１０３は前記無線チャンネル設定/変更の失敗を前記ＢＭ-ＳＣ６０２に報告することにより、該当ＭＢＭＳの取消し又は伝送速度の調節を行う。一方、前記ＭＢＭＣ階層１１０３は前記ＭＢＭＳ情報を上述した伝送速度、放送/マルチキャストタイミング、反復回数及び周期などを考慮してスケジューリングした後、ＵＭにより前記ＲＬＣ階層１１０７へ伝える。
【００３２】
前記ＭＢＭＣ階層１１０３から伝えられた前記ＭＢＭＳ情報は前記ＲＬＣ階層１１０７を通じて所定のサイズのデータブロック(RLC protocol data unit)に分割される。前記所定のサイズのデータブロックは論理チャンネルである共通トラフィックチャンネルＣＴＣＨ１１０８を通じて前記ＭＡＣ-c/sh階層１１０９へ伝えられる。前記ＭＡＣ-c/sh階層１１０９は前記データブロックを該当セルの物理階層Cell_PHY１１１２へ伝える。前記ＭＢＭＳもＣＢＳのように共通チャンネルを通じて提供される。したがって、前記ＭＢＭＳのための前記データブロックは共通伝送チャンネルＦＡＣＨ１１１１を用いて前記ＭＡＣ-c/sh階層１１０９から該当セルの物理階層Cell_PHY１１１２へ伝えられる。
【００３３】
各セルに対応する物理階層Cell_PHY１１１２は前記ＭＡＣ-c/sh１１０９で分配された前記データブロックをチャンネルコーディング、レートマッチング、インターリービング及び変調した後、前記ＦＡＣＨを物理階層チャンネルＳ-ＣＣＰＣＨ１１１３にマッピングして無線チャンネルへ送信する。以上の物理階層のマッピングは概念的にデータブロックが無線チャンネルのＵｕインターフェース６１４を用いて伝送されることを示す。
【００３４】
図１２は図１１の構成に対応して通常的なＭＢＭＳを提供するためのＵＥの通信プロトコル構造を示した図である。図１２を参照すれば、Node B ６１１からの信号は無線チャンネルインターフェースであるＵｕインターフェース６１４のＳ-ＣＣＰＣＨ１２０２を通じてＵＥの物理階層ＵＥ_ＰＨＹ１２０３へ伝送される。前記ＵＥ_ＰＨＹ１２０３は前記受信信号に対して復調、デインターリービング及びチャンネルデコーディングなどを行ってＦＡＣＨチャンネル１２０４上のデータに復元した後、これをＭＡＣ-c/sh階層１２０５へ伝える。
【００３５】
上述したように、前記ＭＢＭＳの場合、専用チャンネルを管理するＭＡＣ-ｄ階層１２０６へデータが伝えられない。前記ＭＡＣ-c/sh階層１２０５は該当論理チャンネルＣＴＣＨ１２０７を管理するＲＬＣ階層１２０８へ前記ＭＢＭＳデータブロックを伝える。前記ＲＬＣ階層１２０８は送信側のＲＬＣ階層から一定のサイズに分割された前記ＭＢＭＳデータブロックをもとのＭＢＭＳ情報に接合した後、前記ＭＢＭＳ情報をＭＢＭＣ階層１２０９へ伝える。前記ＭＢＭＣ階層１２０９は前記ＭＢＭＳ情報をＭＢＭＣ-ＳＡＰ１２１０を通じて上位階層へ伝える(参照符号１２１１)。一方、前記ＵＥ６１３でも前記ＲＮＣ６０９でのように前記ＭＢＭＳのための一連の制御動作を行う。すなわち、前記ＵＥ６１３のＲＲＣ階層１２１２はＣＭＢＭＣ-ＳＡＰ１２１３を通じて前記ＭＢＭＣ階層１２０９を制御する。さらに、前記ＲＬＣ階層１２０８、ＭＡＣ-c/sh階層１２０５及びＵＥ_ＰＨＹ１２０３は対応するＣ-ＳＡＰ１２１４を通じて前記ＲＲＣ階層１２１２により制御される。
【００３６】
図１３は図１１に示したＭＢＭＣ階層１１０３の詳細構成及びその機能を示した図である。図１３を参照すれば、ＢＭ-ＳＣ６０２から伝送されたＭＢＭＳ情報はＭＢＭＣ-ＳＡＰ１１０２に入力され、前記ＭＢＭＣ-ＳＡＰ１１０２によりサービス領域に含まれたすべてのセルの各々に対応するＭＢＭＣ階層１１０３に分配されて伝送される。前記ＭＢＭＳ情報は該当セルのＭＢＭＣ階層１１０３からＭＢＭＣ制御部１３０４へ伝えられる。前記ＭＢＭＣ制御部１３０４は前記ＭＢＭＳ情報をデータ貯蔵部１３０７に貯蔵する。さらに、前記ＭＢＭＣ制御部１３０４は前記ＢＭ-ＳＣ６０２からの伝送速度、放送/マルチキャストタイミング及び優先順位などを考慮してチャンネルの設定又は変更が必要な場合、これをＣＭＢＭＣ-ＳＡＰ１１０５を通じてＲＲＣ階層１１０４に要請する。前記ＲＲＣ階層１１０４の動作は図１１に示した通りである。前記データ貯蔵部１３０７に貯蔵された前記ＭＢＭＳ情報は前記ＭＢＭＣ制御部１３０４の制御によりスケジューラ１３０８へ伝えられる。前記スケジューラ１３０８は前記ＭＢＭＳ情報をスケジューリングして伝送バッファ１３０９を通じてＵＭ１３１０のＲＬＣ階層１１０７へ伝えられる。
【００３７】
前記ＭＢＭＣ階層１１０３の機能は図４に示したＣＢＳのためのＢＭＣ階層３０３とは異なる。すなわち、前記ＢＭＣ階層３０３の場合はセル別に一つのＣＴＣＨだけを許容し、メッセージ形態のサービスを支援するが、前記ＭＢＭＣ階層１１０３の場合は多数のマルチメディア形態の放送及びマルチキャストサービスを支援する。したがって、セル別に多数の放送チャンネル及びマルチキャストチャンネルを要求し、サービス種類に応じて前記ＣＢＳより高速の伝送速度を支援すべきである。さらに、前記データ貯蔵部１３０７は多数のサービスを種類に応じて貯蔵すべきであり、前記ＢＭＣ階層３０３の場合に比べて大量のデータを貯蔵すべきである。前記スケジューラ１３０８は該当セルで支援する数だけのサービススケジューリング機能を行うべきである。サービス種類に応じてＲＬＣ階層１３１１へのサービス情報を伝送のために、伝送バッファ１３０９も該当セルで支援するサービスの数だけ備えられるべきである。前記ＭＢＭＣ制御部１３０４も多数のＭＢＭＳを支援するために、前記ＢＭＣ階層３０３の場合より拡張された機能を行うべきである。
【００３８】
前記ＭＢＭＳの放送サービスの場合、サービス領域の定義に応じて多数のセル領域へ同時に同じデータを伝送する。したがって、前記ＭＢＭＣ階層１１０３が図１３に示した構造を有する場合、高速の伝送速度を有する大容量の同じデータを各セルのＭＢＭＣ階層１１０３が反復貯蔵する場合が発生する。さらに、マルチキャストサービスの場合も、セル別に同じ大容量のデータを反復貯蔵する場合が発生する。これはＵＴＲＡＮで非効率的に貯蔵装置を使用するのみならず、セルの各々が独立的にＭＢＭＳのスケジューリング及び伝送を行うため、セル間の同じ放送/マルチキャストは困難である。特に、実時間ストリーミングサービス(Real-time Streaming Service)の場合、セル別に同じ高速のサービスを同時に提供すべきである。したがって、セルの独立的な構造はすべてのセルに対して同じ動作を反復する不必要な動作をもたらす。さらに、各セルの放送/マルチキャストタイミングが相違になるため、セルの境界でハンドオーバーを行う場合はサービスの連続性が保障されず、使用者の立場からはサービス品質(Quality of Service)の低下をもたらす。
【００３９】
【発明が解決しようとする課題】
したがって、前記問題点を解決するための本発明の目的は、マルチキャストマルチメディア放送サービス(ＭＢＭＳ)によるマルチキャストマルチメディア放送サービス情報を無線接続網(ＵＴＲＡＮ)で下位階層へ伝えるための方法を提供することにある。
【００４０】
本発明の他の目的は、マルチキャストマルチメディア放送サービス(ＭＢＭＳ)によるマルチキャストマルチメディア放送サービス情報を無線接続網(ＵＴＲＡＮ)で下位階層へ伝えるための効率的なデータ貯蔵方法を提供することにある。
【００４１】
本発明のさらに他の目的は、マルチキャストマルチメディア放送サービス(ＭＢＭＳ)による放送/マルチキャストサービス領域内のセル間の放送/マルチキャストタイミングの差を最小化して品質の低下を最小化する方法を提供することにある。
【００４２】
さらに、本発明の他の目的は、多数のセルに対して共通であるマルチキャストマルチメディア放送制御(ＭＢＭＣ)階層を通じて同じ情報を伝えるための方法を提供することにある。
【００４３】
また、本発明の他の目的は、スケジューリングの複雑度によりマルチキャストマルチメディア放送サービス(ＭＢＭＳ)情報を差別化して処理する方法を提供することにある。
【００４４】
さらにまた、本発明の他の目的は、マルチキャストマルチメディア放送サービス(ＭＢＭＳ)情報をスケジューリング複雑度により分類して相異なるマルチキャストマルチメディア放送制御(ＭＢＭＣ)階層を通じて下位階層へ伝える方法を提供することにある。
【００４５】
【課題を解決するための手段】
前記目的を達成するための本発明の一側面によれば、サービス領域を示す複数のセルと、前記複数のセルの各々に対する個別サービスデータ及び前記複数のセルのうち、少なくとも二つのセルに対する共通サービスデータを含む複数のサービスデータを貯蔵しているサービスセンターとを備える符号分割多重接続(ＣＤＭＡ)移動通信システムで、前記サービスセンターから前記個別サービスデータ又は前記共通サービスデータを前記セルへ伝えるためのパケットデータ伝送装置は、前記セルの数と同じ数を備え、前記サービスセンターからの前記個別サービスデータを受信して前記セルのうち、該当個別サービスを要請したセル別に伝える個別処理装置と、前記サービスセンターからの前記共通サービスデータを受信し、前記セルのうち、少なくとも二つのセルへ前記共通サービスデータを伝える共通処理装置とを含むことを特徴とする。
【００４６】
サービス領域内に存在するセルの各々に対してマルチキャストマルチメディア放送サービス(ＭＢＭＳ)を提供する基地局と、前記基地局の各々に対応する無線リンク制御部と、前記無線リンク制御部からのＭＢＭＳによるサービス情報を対応する前記基地局へ伝えるメディア接近制御部とを含む符号分割多重接続(ＣＤＭＡ)移動通信システムで、放送/マルチキャストサービスセンターからの前記ＭＢＭＳによるサービス情報を前記無線リンク制御部へ伝えるデータパケット処理装置は、前記放送/マルチキャストサービスセンターからの前記ＭＢＭＳによるサービス情報を前記無線リンク制御部へ伝えるための全般的な制御を行う制御部と、前記制御部の制御により前記ＭＢＭＳによるサービス情報を貯蔵するデータ貯蔵部と、前記制御部の制御により前記データ貯蔵部から伝えられる前記ＭＢＭＳによるサービス情報をスケジューリングするスケジューラと、前記スケジューリングされた前記ＭＢＭＳによるサービス情報を臨時に貯蔵し、前記制御部の制御により前記臨時貯蔵された前記ＭＢＭＳによるサービス情報を前記無線リンク制御部の各々へ伝える伝送バッファとを含むことを特徴とする。
【００４７】
本発明の他側面によれば、サービス領域内に存在するセルの各々に対してＭＢＭＳを提供する基地局と、前記基地局の各々に対応する無線リンク制御部と、前記無線リンク制御部からのＭＢＭＳによるサービス情報を対応する前記基地局へ伝えるメディア接近制御部とを含む符号分割多重接続(ＣＤＭＡ)移動通信システムで、放送/マルチキャストサービスセンターからの前記ＭＢＭＳによるサービス情報を前記無線リンク制御部へ伝えるデータパケット処理装置は、前記放送/マルチキャストサービスセンターからの前記ＭＢＭＳによるサービス情報を入力し、前記ＭＢＭＳによるサービス情報を前記ＭＢＭＳ領域と種類に応じて選択的に出力するＭＢＭＣ-ＳＡＰと、前記無線リンク制御部に対して共通に連結され、前記ＭＢＭＣ-ＳＡＰからの前記ＭＢＭＳによるサービス情報を処理して前記無線リンク制御部の各々へ伝える共通ＭＢＭＣ部と、前記無線リンク制御部の各々に対応して連結されるように多数個で構成され、前記ＭＢＭＣ-ＳＡＰからの前記ＭＢＭＳによるサービス情報を処理して前記無線リンク制御部のうち、対応する一つの無線リンク制御部へ伝える個別ＭＢＭＣ部とを含むことを特徴とする。
【００４８】
さらに、本発明の他側面によれば、サービス領域内に存在するセルの各々に対してＭＢＭＳを提供する基地局と、前記基地局の各々に対応する無線リンク制御部と、前記無線リンク制御部からのＭＢＭＳによるサービス情報を対応する前記基地局へ伝えるメディア接近制御部とを含む符号分割多重接続(ＣＤＭＡ)移動通信システムで、放送/マルチキャストサービスセンターからの前記ＭＢＭＳによるサービス情報を前記無線リンク制御部へ伝えるデータパケット処理方法は、前記放送/マルチキャストサービスセンターからの前記ＭＢＭＳによるサービス情報を貯蔵する過程と、前記貯蔵された前記ＭＢＭＳによるサービス情報をスケジューリングする過程と、前記スケジューリングされた前記ＭＢＭＳによるサービス情報を前記無線リンク制御部の各々へ伝える過程とを含むことを特徴とする。
【００４９】
さらにまた、本発明の他側面によれば、サービス領域内に存在するセルの各々に対してＭＢＭＳを提供する基地局と、前記基地局の各々に対応する無線リンク制御部と、前記無線リンク制御部からのＭＢＭＳによるサービス情報を対応する前記基地局へ伝えるメディア接近制御部とを含む符号分割多重接続(ＣＤＭＡ)移動通信システムで、放送/マルチキャストサービスセンターからの前記ＭＢＭＳによるサービス情報を前記無線リンク制御部へ伝えるデータパケット処理方法は、前記放送/マルチキャストサービスセンターからの前記ＭＢＭＳによるサービス情報を入力し、前記ＭＢＭＳによるサービス情報を前記ＭＢＭＳの領域と種類に応じて選択的に出力する第１過程と、前記第１過程により提供される前記ＭＢＭＳによるサービス情報を処理して前記無線リンク制御部の各々へ伝える第２過程と、前記第１過程により提供される前記ＭＢＭＳによるサービス情報を前記無線リンク制御部の各々に対応して処理して一つの無線リンク制御部へ伝える第３過程とを含むことを特徴とする。
【００５０】
【発明の実施の形態】
以下、本発明による好適な実施形態について添付図面を参照して詳細に説明する。下記の説明では前記目的を達成するために最適の実施例を提示する。
まず、従来ではセルの各々に対してすべての放送/マルチキャストサービスのための情報を独立的に貯蔵し、スケジューリングして伝送したが、本発明では多数のセルに対して共通に使用できる一つのＭＢＭＣ階層を別途に割当ててサービス種類に応じてＭＢＭＣ階層を区分して使用するようにした。すなわち、多数のセルの各々に対して固有サービス又は伝送速度が遅いため、大容量情報の貯蔵を要求せず、複雑なスケジューリングを要求するサービスに対してはセルの各々に対応するＭＢＭＣ階層(個別ＭＢＭＣ階層)で処理する。一方、多数のセルに対して同じ情報を提供し、ストリーミング形態のサービスに対しては多数のセルに共通であるＭＢＭＣ階層(共通ＭＢＭＣ階層)を通じて処理する。
【００５１】
図１４は本発明による共通ＭＢＭＣ階層１４０１とＲＲＣ階層１４０２との連結を概念的に示した図である。図１４を参照すれば、共通ＭＢＭＣ階層１４０１は多数のセルで同じＭＢＭＳの放送/マルチキャストサービスを行う。前記共通ＭＢＭＣ階層１４０１とＲＲＣ階層１４０２はＣＭＢＭＣ-ＳＡＰ１４０３に連結され、前記二つの階層１４０１，１４０２は前記ＣＭＢＭＣ-ＳＡＰ１４０３を通じて制御情報を交換する。一方、前記共通ＭＢＭＣ階層１４０１はＭＢＭＣ-ＳＡＰ１４０４と連結され、前記ＭＢＭＣ-ＳＡＰ１４０４を通じてＢＭ-ＳＣから前記ＭＢＭＳのためのＭＢＭＳ情報を受信する。前記共通ＭＢＭＣ階層１４０１は多数のセルに対して共通的に提供するＭＢＭＳ情報をＵＭ１４０５で伝えることにより、前記多数のセルに対応するＲＬＣ階層へ提供するようにする。
【００５２】
図１５は本発明の実施例によるＵＴＲＡＮにおけるＭＢＭＣ階層の具体的な構造及び動作を示した図である。図１５に示したように、本発明の実施例によるＭＢＭＣ階層はＭＢＭＳの種類に応じて共通ＭＢＭＣ階層１５０４と個別ＭＢＭＣ階層１５０３に分けられる。
【００５３】
図１５を参照すれば、ＢＭ-ＳＣ１５０１からのＭＢＭＳによるＭＢＭＳ情報はＭＢＭＣ-ＳＡＰ１５０２に入力される。前記ＭＢＭＣ-ＳＡＰ１５０２は前記ＭＢＭＳ情報のサービス領域とサービス種類に応じて前記ＭＢＭＳ情報を個別ＭＢＭＣ階層１５０３又は共通ＭＢＭＣ階層１５０４に分配する。例えば、サービス領域に含まれたすべてのセルの各々に対応して個別的に提供されるＭＢＭＳ情報に対しては前記個別ＭＢＭＣ階層１５０３に分配する。しかし、すべてのセルにより共有されるＭＢＭＳ情報に対しては前記共通ＭＢＭＣ階層１５０４に分配する。前記共通ＭＢＭＣ階層１５０４は多数のセルに対して共有され、ストリーミング形態のサービスのためのＭＢＭＳ情報を処理する。
【００５４】
前記個別ＭＢＭＣ階層１５０３はセルの各々に固有サービス又は伝送速度が遅いため、大容量の貯蔵を要求せず、複雑なスケジューリングを要求するサービスに対応するＭＢＭＳ情報を処理する。セル間の同じストリーミングサービスでも特定のセルに対して他のサービス品質を要求してデータの形態が異なる場合は、そのセルに対応する個別ＭＢＭＣ階層を利用する。前記ＭＢＭＳ情報をサービス領域に含まれるセル別に伝送するために前記個別ＭＢＭＣ階層１５０３における処理動作は通常的な処理過程により行われるので、その詳細な説明は省略する。
【００５５】
しかし、前記ＭＢＭＳ情報が前記共通ＭＢＭＣ階層１５０４へ伝えられる場合、本発明の実施例によるＭＢＭＳ情報処理動作が行われる。すなわち、前記ＭＢＭＳ情報はＭＢＭＣ制御部１５０５へ提供される。前記ＭＢＭＣ制御部１５０５は前記ＭＢＭＳ情報をデータ貯蔵部１５０８に貯蔵する。前記データ貯蔵部１５０８は前記ＭＢＭＳの種類に応じて備えられる。さらに、前記ＭＢＭＣ制御部１５０５は前記ＢＭ-ＳＣ１５０１からの伝送速度、放送/マルチキャストタイミング及び優先順位などを考慮して無線チャンネルの設定又は変更が必要であるかを判断する。前記無線チャンネルの設定又は変更が要求されると、ＣＭＢＭＣ-ＳＡＰ１５０６を通じてＲＲＣ階層１５０７に前記無線チャンネルの設定又は変更を要請する。すなわち、前記ＭＢＭＳを提供するためのＵＴＲＡＮ内のチャンネル設定は前記個別ＭＢＭＣ階層１５０３のＭＢＭＣ制御部又は前記共通ＭＢＭＣ階層１５０４のＭＢＭＣ制御部１５０５を通じて前記ＲＲＣ階層１５０７に要求される。しかし、前記チャンネル設定要求は制御情報を伝えるためのリンク(図示せず)を通じて前記ＢＭ-ＳＣ１５０１から前記ＲＲＣ階層１５０７へ直接的に伝送されうる。
【００５６】
前記ＲＲＣ階層１５０７は前記ＭＢＭＣ制御部１５０５の要請により無線チャンネルの設定/変更が可能であるかを判断する。前記無線チャンネルの設定又は変更が可能であると判断されれば、前記ＲＲＣ階層１５０７はすべての該当セルのＲＬＣ階層、ＭＡＣ-c/sh階層及び該当セルの物理階層Cell_PHYを設定する。この際、前記該当セルは特定のＭＢＭＳを提供するためのセルを示す。しかし、前記ＲＲＣ階層１５０７は無線資源の不足などにより前記ＭＢＭＳのための無線チャンネルの設定/変更が可能でないと判断されれば、前記ＣＭＢＭＣ-ＳＡＰ１５０６を通じて前記ＭＢＭＣ制御部１５０５に無線チャンネルの設定又は変更の失敗を知らせる。前記ＭＢＭＣ制御部１５０５はＭＢＭＳのための無線チャンネルの設定又は変更の失敗を前記ＢＭ-ＳＣ１５０１へ伝送する。一方、前記ＲＲＣ階層１５０７が前記ＢＭ-ＳＣ１５０１へ制御情報の伝送のために設定されたリンクを通じて前記通知を伝送することもできる。このような通知に応答して前記ＢＭ-ＳＣ１５０１は該当ＭＢＭＳの取消し又は伝送速度の調節を行うことにより、ＵＴＲＡＮ内の無線チャンネルの設定/変更が可能になるように調節する。
【００５７】
前記ＭＢＭＣ制御部１５０５は上位ＢＭ-ＳＣ１５０１から伝えられたＭＢＭＳ情報をサービス種類に応じて分類してデータ貯蔵部１５０８に貯蔵し、各サービスの特性を考慮したスケジューラ動作を制御する。前記制御部１５０５は伝送バッファ１５１０から下位ＲＬＣ階層１５１２へのＭＢＭＳ情報の伝送を前記伝送バッファ１５１０を調節して制御する。前記スケジューラ１５０９は毎伝送フレームの単位で前記データ貯蔵部１５０８からその伝送フレームに該当するＭＢＭＳ情報を読み出し、これを前記伝送バッファ１５１０に貯蔵する。多数のサービスを一つの論理チャンネルにマッピングする場合は相異なるサービスのＭＢＭＳ情報を一つの論理チャンネルに多重化することもできる。さらに、前記ＭＢＭＣ制御部１５０５は前記データ貯蔵部１５０８に貯蔵されたＭＢＭＳ情報をサービス別に要求されるチャンネルの品質又は伝送速度で処理するか、編集のためのデータの一部を削除/反復する機能を行うこともできる。
【００５８】
前記ＭＢＭＣ制御部１５０５は前記ＢＭ-ＳＣ１５０１から受信されたＭＢＭＳ情報を前記データ貯蔵部１５０８に貯蔵するとき、前記ＭＢＭＳ情報がデータストリーミングの順序と相違した順序で受信されても、前記データストリーミングの順序を考慮して順次に貯蔵する。すなわち、前記データストリーミングの順次受信が保障されない場合でも、上位階層上のパケット番号を用いてＵＴＲＡＮ内で順次的な伝送を保障することができる。
【００５９】
前記データ貯蔵部１５０８は前記ＭＢＭＣ制御部１５０５の制御により貯蔵された前記ＭＢＭＳ情報をスケジューラ１５０９へ伝える。前記スケジューラ１５０９は前記ＭＢＭＳ情報をスケジューリングし、前記スケジューリングされたＭＢＭＳ情報は伝送バッファ１５１０に臨時に貯蔵される。前記伝送バッファ１５１０に臨時貯蔵された前記ＭＢＭＳ情報はＵＭ１５１１でＲＬＣ階層１５１２へ伝えられる。この際、前記ＲＬＣ階層１５１２は該当ＭＢＭＳ情報が提供される多数のセルに対応する。
【００６０】
前記スケジューラ１５０９は多数のセルに共有されるＭＢＭＳ情報の処理時に多数のセルのフレームタイミングを考慮してスケジューリングを行う。前記各セルのフレームタイミングは一致しない。すなわち、一つのセルのフレーム開始時点と他のセルのフレーム開始時点が相異なり、共通ＭＢＭＣ階層１５０５のスケジューラ１５０９は多数の該当セルのうち、フレーム開始時点が最も速いセルのタイミングに応じてスケジューリングを行って伝送バッファ１５１０に貯蔵する。前記伝送バッファ１５１０に貯蔵されたＭＢＭＳ情報は各セルのフレームタイミングに合わせて各々のセルに該当するＲＬＣ階層１５１２へ伝えられる。前記伝送バッファ１５１０は一つの物理的なバッファを用いて伝送時点を操作することができる。前記ＭＢＭＣ、ＲＬＣ及びＭＡＣ階層が物理的に同じハードウェア上で具現される場合、前記ＭＢＭＳ情報が共通伝送バッファに貯蔵されると、各セル別にフレームタイミングに合わせて伝送バッファを読み出してＲＬＣ及びＭＡＣ階層における動作を行う。相対的にＲＬＣ階層及びＭＡＣ階層の動作実行のための時間がセル別のフレームタイミング間の時間差に比べて非常に短いため、一つの物理バッファを用いて多数のセルに該当するＲＬＣ及びＭＡＣ階層へＭＢＭＳ情報が伝送されうる。さらに、前記伝送バッファ１５１０は各セルの該当ＲＬＣ階層に物理的に区分された相異なる伝送バッファを使用することもできる。一方、ＭＢＭＣ階層とＲＬＣ階層が物理的に相異なるハードウェア上に具現されてインターフェースで連結される場合、各々のインターフェース伝送のために各セルのＲＬＣ階層に応じて相異なる伝送バッファを使用することができる。前記ＭＢＭＣ階層のＭＢＭＳ情報と前記ＲＬＣ階層のＭＢＭＳ情報をデータバスのようなインターフェースを通じて伝える場合、各セルのＲＬＣ階層へのＭＢＭＳ情報伝送はＭＢＭＣ階層とＲＬＣ階層とのインターフェース速度に制限される。したがって、一つのセルへの情報伝送が完了されない状態で他のセルへの情報伝送を開始することができる。この際、各セルに対しては相違した伝送バッファを使用する。
【００６１】
前記個別ＭＢＭＣ階層１５０３の場合は前記ＭＢＭＳ情報を該当セルのＲＬＣ階層のみへ伝える。しかし、前記共通ＭＢＭＣ階層１５０４の場合は前記ＭＢＭＳ情報をサービス領域に含まれる一つのＲＮＣサブシステム内のすべてのセルに対応するＲＬＣ階層１５１２へ伝える。
【００６２】
図１６は本発明の実施例によるＲＮＣ及びNode Bを含む無線接続網(ＵＴＲＡＮ)の通信プロトコル構造を示した図である。すなわち、一つの共通ＭＢＭＣ階層１６０１が一つのＭＢＭＳを支援する場合、ＭＢＭＳ情報を伝送するためのＵＴＲＡＮの構成を示している。
【００６３】
図１６を参照すれば、共通ＭＢＭＣ階層１６０１を構成する伝送バッファはＵＭを通じてサービス領域に含まれたすべてのセルの各々に対応するＲＬＣ階層１６０２に共通的に連結される。したがって、前記伝送バッファからのＭＢＭＳ情報は前記ＲＬＣ階層１６０２へ伝えられる。前記ＲＬＣ階層１６０２は前記ＭＢＭＳ情報を一定のサイズのデータブロックに分割し、前記分割されたデータブロックを対応するＭＡＣ-c/sh階層１６０３へ伝える。前記ＭＡＣ-c/sh階層１６０３は前記データブロックをＩubインターフェース上のＦＡＣＨを通じてセルの各々に対応する物理階層Cell_PHY１６０４に分配する。この際、前記すべてのCell_PHY１６０４に前記データブロックを同一に分配することにより、前記Cell_PHY１６０４に対応する各セルには同じＭＢＭＳ情報が提供される。一方、前記各セルの物理階層Cell_PHY１６０４はＵｕインターフェース及びＳ-ＣＣＰＣＨを通じて該当セルに位置するＵＥへＭＢＭＳ情報を伝送する。
【００６４】
前記共通ＭＢＭＣ階層１６０１からのＭＢＭＳによる放送又はマルチキャストのためのＲＬＣ、ＭＡＣ-c/sh及び物理階層Cell_PHY１６０２，１６０３，１６０４は制御情報の受信のために前記ＲＲＣ階層１６０５とＣ-ＳＡＰ１６０６に連結される。前記ＲＲＣ階層１６０５はサービス領域内の多数のセルでＲＬＣ、ＭＡＣ-c/sh及び物理階層Cell_PHY１６０２，１６０３，１６０４を各セル別に構成すべきである。
【００６５】
上述した構成において、前記ＲＲＣ階層１６０５とＢＭ-ＳＣとの制御情報伝送には二つの方法がある。第一はＭＢＭＳ情報をやり取りする前記ＢＭ-ＳＣと前記共通ＭＢＭＣ階層１６０１とのユーザー平面上で制御情報を伝送する方法である。前記共通ＭＢＭＣ階層１６０１は制御情報とＭＢＭＳ情報を区分して制御情報は前記ＲＲＣ階層１６０５へ伝送する。第二は前記ＢＭ-ＳＣと前記ＲＲＣ階層１６０５との制御情報伝送のための専用連結１６０７を構成し、前記専用連結１６０７を通じて前記ＲＲＣ階層１６０５と前記ＢＭ-ＳＣが直接制御情報をやり取りする方法である。
【００６６】
図１７は本発明の実施例によるＭＢＭＳ情報が各々のセルへ伝送されるときの放送/マルチキャストタイミングを示した図である。すなわち、図１７では、共通ＭＢＭＣ階層からセルの各々へＭＢＭＳ情報を伝送するときの放送/マルチキャストタイミングを示している。
【００６７】
図１７を参照すれば、前記共通ＭＢＭＣ階層から同じＭＢＭＳ情報がセルの各々に対応するＲＬＣ階層、ＭＡＣ階層及び物理階層を通じてＵＥへ放送/マルチキャストされる場合、ＵＴＲＡＮ上でＲＮＣ内に存在する共通ＭＢＭＣ階層、ＲＬＣ階層及びＭＡＣ階層はＲＮＣフレーム番号(RNC Frame Number：ＲＦＮ)１７０１に応じて同じタイミングで動作する。一方、前記多数のセルの各々に対応するNode B上の物理階層はNode B フレーム番号(Node B Frame Number：ＢＦＮ)によるタイミングで動作する。前記ＢＦＮの場合、前記多数のセルの各々に対応して相異なるタイミングを有する。したがって、本発明の実施例によるＭＢＭＳ情報は相異なるタイミングを有するセルの各々のタイミングに応じて伝送される。
【００６８】
例えば、図１７では二つのセルの場合に対するタイミングを示しているが、一つのセルのタイミングをＢＦＮ１ １７０２、他のセルのタイミングをＢＦＮ２１７０３として表示した。図１７に示したように、ＲＮＣでＲＦＮ １０のデータは一つのセルへＢＦＮ１ １０１に該当するタイミングで伝送され(参照符号１７０４)、他のセルへはＢＦＮ２ ５４に該当するタイミングで伝送される(参照符号１７０５)。しかし、共通ＭＢＭＣ階層で同じデータを同じＲＦＮタイミング内で提供するので、セルの各々に対する伝送タイミングの差は一つのフレーム時間以内に制限することができる。したがって、各セルに対して独立的なＭＢＭＣ階層を有する場合、各セルの伝送タイミングは完全に独立的に運用されるので、セル間の伝送タイミングの差は非常に大きな値を有し、一定の範囲以内に制限することができない。
【００６９】
【発明の効果】
上述したように、本発明はＭＢＭＳサービス領域内の多数のセルに対するＭＢＭＣ階層でＭＢＭＳによるサービス情報を共通に処理することにより、次のような効果を提供する。
【００７０】
第一に、各々のセル内に高速のデータを貯蔵した従来の技術に比べて貯蔵装置を大幅に縮小することができる。第二に、各々のセル別に独立的にデータのスケジューリング及び制御を行った従来の技術に比べてハードウェア及びソフトウェア装置のオーバーヘッドを減少させる。第三に、各々のセル別に独立的にＭＢＭＳによるサービス情報を伝送した従来の技術に比べて共通にデータを伝送することにより、相異なるセル間の放送/マルチキャストタイミングの差を最小化することができる。
【００７１】
以上、本発明の具体的な実施例に参照して説明したが、本発明はこれに限るものでなく、各種の変形が本発明の特許請求の範囲を逸脱しない限り、該当技術分野における通常の知識をもつ者により可能なのは明らかである。
【図面の簡単な説明】
【図１】  通常的なセル放送サービス(ＣＢＳ)を提供するためのＣＤＭＡ移動通信システムの概略的な構成を示した図である。
【図２】  通常的なセル放送サービス(ＣＢＳ)のためのWrite-Replace過程による信号処理を示した図である。
【図３】  図１に示した無線網制御部(ＲＮＣ)及び基地局を含む無線接続網(ＵＴＲＡＮ)の通信プロトコル構造を示した図である。
【図４】  図３に示した放送マルチキャスト制御(ＢＭＣ)階層の詳細構成及びその機能を示した図である。
【図５】  図３の構成に対応して通常的なセル放送サービス(ＣＢＳ)を提供するための移動端末(ＵＥ)の通信プロトコル構造を示した図である。
【図６】  通常的なマルチキャストマルチメディア放送サービス(ＭＢＭＳ)を提供するための符号分割多重接続(ＣＤＭＡ）移動通信システムの概略的な構成を示した図である。
【図７】  通常的なマルチキャストマルチメディア放送サービス(ＭＢＭＳ）の放送サービスのために移動通信網で行う信号処理過程を示した図である。
【図８】  通常的なマルチキャストマルチメディア放送サービス(ＭＢＭＳ)の放送サービスのために移動端末(ＵＥ)で行う信号処理過程を示した図である。
【図９】  通常的なマルチキャストマルチメディア放送サービス(ＭＢＭＳ)のマルチキャストサービスのために移動通信網で行う信号処理過程を示した図である。
【図１０】  通常的なマルチキャストマルチメディア放送サービス(ＭＢＭＳ)のマルチキャストサービスのために移動端末(ＵＥ)で行う信号処理過程を示した図である。
【図１１】  図６に示した無線網制御部(ＲＮＣ)及び基地局を含む無線接続網(ＵＴＲＡＮ)の通信プロトコル構造を示した図である。
【図１２】  図１１の構成に対応して通常的なマルチキャストマルチメディア放送サービス(ＭＢＭＳ)を提供するための移動端末(ＵＥ)の通信プロトコル構造を示した図である。
【図１３】  図１１に示したマルチメディア放送マルチキャスト制御(ＭＢＭＣ)階層の詳細構成及びその機能を示した図である。
【図１４】  本発明による共通マルチメディア放送マルチキャスト制御(ＭＢＭＣ)階層と無線資源制御(ＲＲＣ)階層との連結を示した図である。
【図１５】  本発明の実施例によるマルチメディア放送マルチキャスト制御(ＭＢＭＣ)階層の詳細構成及びその機能を示した図である。
【図１６】  本発明の実施例による無線網制御部(ＲＮＣ)及び基地局を含む無線接続網(ＵＴＲＡＮ)の通信プロトコル構造を示した図である。
【図１７】  本発明の実施例によるマルチキャストマルチメディア放送サービス(ＭＢＭＳ)データが各々のセル別へ伝送されるときの放送/マルチキャストタイミングを示した図である。
【図１】
0003753700.tif 000002
【図２】
0003753700.tif 000003
【図３】
0003753700.tif 000004
【図４】
0003753700.tif 000005
【図５】
0003753700.tif 000006
【図６】
0003753700.tif 000007
【図７】
0003753700.tif 000008
【図８】
0003753700.tif 000009
【図９】
0003753700.tif 000010
【図１０】
0003753700.tif 000011
【図１１】
0003753700.tif 000012
【図１２】
0003753700.tif 000013
【図１３】
0003753700.tif 000014
【図１４】
0003753700.tif 000015
【図１５】
0003753700.tif 000016
【図１６】
0003753700.tif 000017
【図１７】
0003753700.tif 000018